(57)【要約】【課題】流出する気体の流量を増加させると共に、電子機器の内部の塵埃を低減させる。【解決手段】回転可能に設けられた羽根部材２と、羽根部材２が回転可能に取り付けられ、羽根部材２によって一方から流入した外気が他方から流出される通気口３と、側面に外部と通気口３とが連続される貫通口４とを有するケーシング５と、貫通口４を覆い、貫通口４を流れる気体の塵埃を捕集する第１のメッシュ６とを備え、通気口３の一方及び貫通口４から外気を流入することができ、他方から流出する外気の流量を増加させることができるので、通気口３の他方から流出する外気の風量を従来より増加させることができると共に、貫通口４から通気口３の内部に流入する外気の塵埃を第１のメッシュ６で捕集することができるので、電子機器３０の内部の塵埃を低減させることができる。【選択図】図１
2009057943.tif 000002
【特許請求の範囲】
【請求項１】
回転可能に設けられた羽根部材と、
上記羽根部材が回転可能に取り付けられ、上記羽根部材によって一方から流入した気体が他方から流出される通気口と、側面に外部と上記通気口とが連続される貫通口とを有するケーシングと、
上記貫通口を覆い、上記貫通口に流れる気体の塵埃を捕集するメッシュとを備えることを特徴とするファン装置。
【請求項２】
上記メッシュは、上記ケーシングと一体に形成されていることを特徴とする請求項１記載のファン装置。
【請求項３】
上記メッシュは、上記ケーシングと別部材で設けられていることを特徴とする請求項１記載のファン装置。
【請求項４】
上記メッシュは、合成樹脂材、金属材、カーボン材、セラミック材、繊維材で形成されていることを特徴とする請求項３記載のファン装置。
【請求項５】
上記ケーシングは、更に、上記通気口の軸方向に相対する第１及び第２のフレーム部を有し、
上記第１及び第２のフレーム部には、上記第１及び第２のフレーム部間に亘って、上記メッシュに流れる気体の塵埃を捕集する更なるメッシュが設けられていることを特徴とする請求項１記載のファン装置。
【請求項６】
上記メッシュは、上記更なるメッシュより目が細かく設けられていることを特徴とする請求項５記載のファン装置。
【請求項７】
上記メッシュ及び／又は更なるメッシュは、外縁部近傍が、その他の部分より目が細かく設けられていることを特徴とする請求項５記載のファン装置。
【請求項８】
羽根部材によって一方から流入した気体が他方から流出されるファン装置に用いられるケーシングにおいて、
上記羽根部材が回転可能に取り付けられ、上記羽根部材によって一方から流入した気体が他方から流出される通気口と、側面に外部と上記通気口とが連続され、メッシュに覆われた貫通口とを備えることを特徴とするケーシング。
【請求項９】
更に、通気口の軸方向に相対する第１及び第２のフレーム部を有し、
上記第１及び第２のフレーム部には、上記第１及び第２のフレーム部間に亘って、上記メッシュに流れる気体の塵埃を捕集する更なるメッシュが設けられていることを特徴とする請求項８記載のケーシング。
【請求項１０】
筐体内部に空気流を発生させて筐体内部で発生する熱を放熱するファン装置を備える電子機器において、
上記ファン装置は、
回転可能に設けられた羽根部材と、
上記羽根部材が回転可能に取り付けられ、上記羽根部材によって一方から流入した気体が他方から流出される通気口と、側面に外部と上記通気口とが連続される貫通口とを有するケーシングと、
上記貫通口を覆い、上記貫通口に流れる気体の塵埃を捕集するメッシュとを備えることを特徴とする電子機器。
【請求項１１】
回転可能に設けられた羽根部材と、
上記羽根部材が回転可能に取り付けられ、上記羽根部材によって一方から流入した気体が他方から流出される通気口と、側面に外部と上記通気口とが連続される貫通口と、上記通気口の軸方向に相対する第１及び第２のフレーム部とを有するケーシングと、
上記第１及び第２のフレーム部間に亘って上記貫通口に流れる気体の塵埃を捕集するメッシュとを備えることを特徴とするファン装置。
【請求項１２】
上記メッシュは、上記ケーシングと一体に形成されていることを特徴とする請求項１１記載のファン装置。
【請求項１３】
上記メッシュは、上記ケーシングと別部材で設けられていることを特徴とする請求項１１記載のファン装置。
【請求項１４】
上記メッシュは、合成樹脂材、金属材、カーボン材、セラミック材、繊維材で形成されていることを特徴とする請求項１３記載のファン装置。
【請求項１５】
羽根部材によって一方から流入した気体が他方から流出されるファン装置に用いられるケーシングにおいて、
上記羽根部材が回転可能に取り付けられ、上記羽根部材によって一方から流入した気体が他方から流出される通気口と、側面に外部と上記通気口とが連続される貫通口と、上記通気口の軸方向に相対し、上記貫通口に流れる気体の塵埃を捕集するメッシュが設けられている第１及び第２のフレーム部を備えることを特徴とするケーシング。
【請求項１６】
筐体内部に空気流を発生させて筐体内部で発生する熱を放熱するファン装置を備える電子機器において、
上記ファン装置は、
回転可能に設けられた羽根部材と、
上記羽根部材が回転可能に取り付けられ、上記羽根部材によって一方から流入した気体が他方から流出される通気口と、側面に外部と上記通気口とが連続される貫通口と、上記通気口の軸方向に相対する第１及び第２のフレーム部とを有するケーシングと、
上記第１及び第２のフレーム部間に亘って上記貫通口に流れる気体の塵埃を捕集するメッシュとを備えることを特徴とする電子機器。
【発明の詳細な説明】
【技術分野】
【０００１】
本発明は、流出する気体の流量を増加させることができると共に、塵埃を低減させることができるファン装置、ケーシング及び電子機器に関する。
【背景技術】
【０００２】
従来から、プロジェクタやテレビやＰＣ（Personal Computer）等の電子機器には、内部を放熱するために、軸流ファン等のファン装置が設けられていた。しかしながら、これらの電子機器の小型化等に伴い発熱素子等が電子機器内に高密度に実装され、電子機器の内部での発熱量が増加し、ファン装置は、空気の高流量化が望まれている。
【０００３】
そこで、特許文献１のファン装置では、ケーシングに凹部を設け、通気口に設けられた羽根部材の回転時に、流入する空気に乱流が発生することを防止し、空気を効率的に通気口の内部に流入させることで、流出する空気の流量を増加させている。また、特許文献２のファン装置では、通気口を有するケーシングの側面に、外部と通気口とを連続させる貫通口を設け、流出する空気の流量を増加させている。
【０００４】
しかしながら、特許文献１及び特許文献２のファン装置では、流出する空気の流量を増加させることができる一方、従来のファン装置より塵埃等が電子機器の内部に侵入しやすくなってしまい、電子機器の内部に侵入した塵埃により電子機器の画質を劣化させる等の虞がある。
【０００５】
また、電子機器の内部に塵埃等が侵入することを防止するために、ファン装置の通気口の一方又は両側にフィルタを設けると、流出する空気の流量が低下すると共に、ファン装置の厚さが増してしまう等の問題がある。
【０００６】
【特許文献１】特開２００５−２４８７３４号公報
【特許文献２】特開平５−９１６９４号公報
【発明の開示】
【発明が解決しようとする課題】
【０００７】
本発明は、このような従来の事情に鑑みて提案されたものであり、流出する気体の流量を増加させることができると共に、塵埃を低減させることができるファン装置、ケーシング及び電子機器を提供することを目的とする。
【課題を解決するための手段】
【０００８】
上述した目的を達成する本発明に係るファン装置は、回転可能に設けられた羽根部材と、上記羽根部材が回転可能に取り付けられ、上記羽根部材によって一方から流入した気体が他方から流出される通気口と、側面に外部と上記通気口とが連続される貫通口とを有するケーシングと、上記貫通口を覆い、上記貫通口に流れる気体の塵埃を捕集するメッシュとを備える。また、本発明は、以上のような構成を備えるファン装置に用いられるケーシングである。更に、本発明は、以上のような構成を備えるファン装置を備える電子機器である。
【０００９】
また、本発明に係るファン装置は、回転可能に設けられた羽根部材と、上記羽根部材が回転可能に取り付けられ、上記羽根部材によって一方から流入した気体が他方から流出される通気口と、側面に外部と上記通気口とが連続される貫通口と、上記通気口の軸方向に相対する第１及び第２のフレーム部とを有するケーシングと、上記第１及び第２のフレーム部間に亘って上記貫通口に流れる気体の塵埃を捕集するメッシュとを備える。更に、本発明は、以上のような構成を備えるファン装置に用いられるケーシングである。また、本発明は、以上のような構成を備えるファン装置を備える電子機器である。
【発明の効果】
【００１０】
本発明によれば、ケーシングの側面に外部と通気口とが連続される貫通口を有し、この貫通口を覆うように貫通口に流れる気体の塵埃を捕集するメッシュを設けることで、流出する気体の流量を増加させることができると共に、電子機器の内部の塵埃を低減させることができる。
【００１１】
また、本発明によれば、ケーシングの側面に外部と通気口とが連続される貫通口と、ケーシングに形成された通気口の軸方向に相対する第１及び第２のフレーム部とを有し、第１及び第２のフレーム部間に貫通口に流れる気体の塵埃を捕集するメッシュを設けることで、流出する気体の流量を増加させることができると共に、電子機器の内部の塵埃を低減させることができる。
【発明を実施するための最良の形態】
【００１２】
以下、本発明が適用されたファン装置１について、図面を参照して説明する。
【００１３】
ファン装置１は、軸方向に空気を流す軸流ファン装置であり、図１に示すように、回転可能に設けられ、モータ等の図示しない駆動装置によって回転されることにより軸方向に空気を流す羽根部材２と、羽根部材２及び駆動装置を取り付け、駆動装置により羽根部材２を回転させることよって一方から流入した空気を他方から流出させる通気口３と外部及び通気口３を連続させる貫通口４ａ〜４ｈ（以下、単に、貫通口４ともいう。）とを有するケーシング５と、貫通口４を覆うように設けられ、塵埃を捕集する第１及び第２のメッシュ６，７とを備えている。
【００１４】
羽根部材２及び駆動装置を取り付けるケーシング５は、図２に示すように、羽根部材２及び駆動装置が収納され、駆動装置により羽根部材２を回転させることによって、一方から流入した外気を他方から流出させる通気口３を有する本体部８と、本体部８の内部に羽根部材２及び駆動装置を取り付ける支持部９と、本体部８を挟み本体部８の通気口３の長軸方向に相対するように設けられている第１及び第２のフレーム部１０，１１とを有する。
【００１５】
羽根部材２及び駆動装置が収納される本体部８は、ポリブチレンテレフタレート（ＰＢＴ）等の機械的剛性を有する熱可塑性樹脂を用いて成形されている。また、本体部８は、図２及び図３に示すように、収納される羽根部材２の最大外径よりやや大径な通気口３を有する略円筒形状に形成されている。この通気口３は、図３中の矢印Ａに示すように、駆動装置により羽根部材２を回転させることによって、一方から流入した外気を他方から流出させることができる。また、通気口３の両端縁部には、滑らかに空気が流入及び流出できるように、傾斜面１２が設けられている。
【００１６】
更に、本体部８の側面１３には、外部と通気口３とを連続させる貫通口４が形成されている。例えば、貫通口４は、図４及び図５に示すように、略矩形状であり、通気口３の長軸を中心に略等間隔に８箇所形成されている。貫通口４は、図３中の矢印Ｂに示すように、駆動装置により羽根部材２を回転させることによって、外部から外気を通気口３の内部に流入することができる。したがって、本体部８は、図３中の矢印Ａ及び矢印Ｂに示すように、通気口３の一方から外気を通気口３の内部に流入することができると共に、貫通口４から外気を通気口３の内部に流入することができるので、通気口３の他方から流出する外気の風量を従来より増加させることができる。
【００１７】
なお、貫通口４は、略矩形状に形成されることに限定されるものではなく、外部と通気口３とを連続させる形状であれば如何なる形状でもよく、例えば略円形状でもよい。また、貫通口４は、合計８箇所に形成されることに限定されるものではなく、従来より通気口３の他方から流出する外気の風量を従来より増加させることができればよく、形成する数及び配置位置は適宜変更可能である。
【００１８】
また、これらの貫通口４の外側面１３ａ側の周囲には、図４及び図５に示すように、後述する塵埃を捕集する第１のメッシュ６を取り付ける第１のメッシュ取付部１４が設けられている。更に、第１のメッシュ取付部１４には、第１のメッシュ６が例えば接着剤等で接着されて取り付けられる。本体部８は、第１のメッシュ取付部１４に第１のメッシュ６が取り付けられることで、貫通口４を第１のメッシュ６で覆うことができ、貫通口４から通気口３の内部に流入する、すなわち、貫通口４に流れる外気の塵埃を捕集することができる。
【００１９】
なお、第１のメッシュ取付部１４は、図６及び図７に示すように、例えば通気口３側に凹設させてもよい。これにより、第１のメッシュ取付部１４は、第１のメッシュ６を、他の外側面１３ａと面一となるように取り付けることができる。
【００２０】
また、第１のメッシュ取付部１４は、例えば外部側に突設させてもよい。これにより、第１のメッシュ取付部１４は、第１のメッシュ６を接着剤等で接着するために、第１のメッシュ６を第１のメッシュ取付部１４に押圧するとき、突設された第１のメッシュ取付部１４により押圧力が第１のメッシュ６に集中され、第１のメッシュ６と第１のメッシュ取付部１４とをより密着して取り付けることができる。
【００２１】
更に、第１のメッシュ取付部１４は、本体部８の外側面１３ａ側に設けられることに限定されるものではなく、貫通口４を覆うように第１のメッシュ６を取り付けることができれば、本体部８の内側面、すなわち、通気口３側の貫通口４の周囲に設けるようにしてもよい。
【００２２】
また、本体部８の外側面１３ａには、図２に示すように、本体部８の強度を確保するために、周回り方向に補強リブ１５が設けられている。
【００２３】
更に、本体部８の他方の主面には、図２に示すように、羽根部材２及び駆動装置を取り付ける支持部９が本体部８と一体成形されて設けられている。この支持部９は、羽根部材２を回転させる駆動装置を取り付ける駆動支持部１６と、この駆動支持部１６を本体部８の他方の主面と連結させる連結部１７とを有する。
【００２４】
羽根部材２を回転させる駆動装置を取り付ける駆動支持部１６は、羽根部材２を回転させる駆動装置と略同等の大きさを有する薄板であり、略中央に、駆動装置の羽根部材２を回転させる図示しない回転軸を支持するボス部１６ａが形成されている。
【００２５】
駆動支持部１６を本体部８の他方の主面と連結させる連結部１７は、ボス部１６ａの長軸が通気口３の長軸上に設けられるように駆動支持部１６を支持している。例えば、連結部１７は、通気口３の長軸を中心に略等間隔に放射状に４本設けられている。また、連結部１７は、４本設けられたうちの１本に駆動支持部１６に取り付けられた駆動装置のリード線を外部に引き出す図示しない引出溝が形成されている。この引出溝は、通気口３の一方から流入して他方に流出する外気の流れを妨げないように連結部１７の他方側に形成されている。
【００２６】
なお、連結部１７は、駆動支持部１６を本体部８の他方の主面と連結させることに限定されるものではなく、通気口３の一方から外気を通気口３の内部に流入し、通気口３の他方から外気を流出させることができれば、駆動支持部１６を本体部８の一方の主面と連結させるようにしてもよい。また、連結部１７は、駆動支持部１６を本体部８と連結させることができればよく、数及び主面と連結する形状は適宜変更可能である。更に、支持部９は、本体部８と一体成形されていることに限定されるものではなく、別部材で設け、溶着、ネジ止め、フック固定等で本体部８に取り付けるようにしてもよい。
【００２７】
また、以上のような支持部９が設けられた本体部８には、図２に示すように、本体部８を挟み、通気口３の長軸方向に相対する第１及び第２のフレーム部１０，１１が本体部８と一体成形されて設けられている。第１及び第２のフレーム部１０，１１は、本体部８の機械的強度を補強する本体部８と同等な大きさの略矩形状の薄板である。
【００２８】
略矩形状の第１及び第２のフレーム部１０，１１は、それぞれ第１乃至第４の側面１８ａ〜１８ｄ、１９ａ〜１９ｄ（以下、単に、側面１８，１９ともいう）を有し、図２及び図５に示すように、例えば、第１及び第２のフレーム部１０，１１の第１の側面１８ａ，１９ａ間に貫通口４ａ，４ｂが設けられ、第２の側面１８ｂ，１９ｂ間に貫通口４ｃ，４ｄが設けられ、第３の側面１８ｃ，１９ｃ間に貫通口４ｅ，４ｆが設けられ、第４の側面１８ｄ，１９ｄ間に貫通口４ｇ，４ｈが設けられている。
【００２９】
また、第１及び第２のフレーム部１０，１１は、側面１８，１９の略中間位置に、図２及び図５に示すように、第１及び第２のフレーム部１０，１１の側面１８，１９と本体部８の外側面１３ａとを連続させる連続部２０ａ，２０ｂ，２０ｃ，２０ｄ（以下、単に、連続部２０ともいう。）が設けられている。具体的に、連続部２０ａは、第１及び第２のフレーム部１０，１１の第１の側面１８ａ，１９ａと外側面１３ａとを連続させ、連続部２０ｂは、第２の側面１８ｂ，１９ｂと外側面１３ａとを連続させ、連続部２０ｃは、第３の側面１８ｃ，１９ｃと外側面１３ａとを連続させ、連続部２０ｄは、第４の側面１８ｄ，１９ｄと外側面１３ａとを連続させている。
【００３０】
更に、第１及び第２のフレーム部１０，１１は、図２及び図５に示すように、本体部８の側面１３より外側であり四隅近傍に、厚さ方向に貫通し、ボルト等で電子機器の筐体や電子機器の内部に取り付けるときに用いる取付孔２１が形成されている。
【００３１】
また、第１及び第２のフレーム部１０，１１は、図２及び図５に示すように、本体部８の側面１３より外側であり四隅近傍に、機械的強度を確保するために、第１及び第２のフレーム部１０，１１を連続させる補強部２２，２３，２４，２５（以下、単に、補強部２６ともいう）が設けられている。補強部２６は、略Ｌ字形状に設けられ、一端面が一の第１及び第２のフレーム部１０，１１の側面１８，１９間を連続するように設けられ、他端面が一の第１及び第２のフレーム部１０，１１と隣接する他の第１及び第２のフレーム部１０，１１の側面１８，１９間を連続するように設けられている。更に、補強部２６は、本体部８の外側面１３ａと連続して設けられている。
【００３２】
具体的に、補強部２２は、一端面２２ａが第１及び第２のフレーム部１０，１１の第１の側面１８ａ，１９ａ間を連続させ、他端面２２ｂが第４の側面１８ｄ，１９ｄ間を連続させ、補強部２３は、一端面２３ａが第２の側面１８ｂ，１９ｂ間を連続させ、他端面２３ｂが第１の側面１８ａ，１９ａ間を連続させ、補強部２４は、一端面２４ａが第３の側面１８ｃ，１９ｃ間を連続させ、他端面２４ｂが第２の側面１８ｂ，１９ｂ間を連続させ、補強部２５は、一端面２５ａが第４の側面１８ｄ，１９ｄ間を連続させ、他端面２５ｂが第３の側面１８ｃ，１９ｃ間を連続させている。
【００３３】
これにより、ケーシング５には、図２及び図５に示すように、本体部８の外側面１３ａと第１及び第２のフレーム部１０，１１と連続部２０と補強部２６とで囲まれ、外部に対して開口された開口部２７を有する空間部２８ａ〜２８ｈ（以下、単に、空間部２８ともいう。）が形成されている。空間部２８は、外部に対して開口された開口部２７と、通気口３と連続された貫通口４とを連続させている。
【００３４】
具体的に、空間部２８ａは、本体部８の外側面１３ａと第１及び第２のフレーム部１０，１１と連続部２０ａと補強部２２とで形成され、空間部２８ｂは、本体部８の外側面１３ａと第１及び第２のフレーム部１０，１１と連続部２０ａと補強部２３とで形成され、空間部２８ｃは、本体部８の外側面１３ａと第１及び第２のフレーム部１０，１１と連続部２０ｂと補強部２３とで形成され、空間部２８ｄは、本体部８の外側面１３ａと第１及び第２のフレーム部１０，１１と連続部２０ｂと補強部２４とで形成され、空間部２８ｅは、本体部８の外側面１３ａと第１及び第２のフレーム部１０，１１と連続部２０ｃと補強部２４とで形成され、空間部２８ｆは、本体部８の外側面１３ａと第１及び第２のフレーム部１０，１１と連続部２０ｃと補強部２５とで形成され、空間部２８ｇは、本体部８の外側面１３ａと第１及び第２のフレーム部１０，１１と連続部２０ｄと補強部２５とで形成され、空間部２８ｈは、本体部８の外側面１３ａと第１及び第２のフレーム部１０，１１と連続部２０ｄと補強部２２とで形成されている。
【００３５】
また、第１及び第２のフレーム部１０，１１の側面１８，１９には、図４及び図５に示すように、貫通口４を覆うように取り付けられた第１のメッシュ６に流れる外気の塵埃を捕集するために、空間部２８の開口部２７を覆うように後述する第２のメッシュ７が取り付けられる第２のメッシュ取付部２９が設けられている。
【００３６】
第２のメッシュ取付部２９は、空間部２８の開口部２７の周囲、すなわち、第１及び第２のフレーム部１０，１１の第１の側面１８ａ，１９ａと連続部２０ａと補強部２２の一端面２２ａとに設けられ、第１の側面１８ａ，１９ａと連続部２０ａと補強部２３の他端面２３ｂとに設けられ、第２の側面１８ｂ，１９ｂと連続部２０ｂと補強部２３の一端面２３ａとに設けられ、第２の側面１８ｂ，１９ｂと連続部２０ｂと補強部２４の他端面２４ｂとに設けられ、第３の側面１８ｃ，１９ｃと連続部２０ｃと補強部２４の一端面２４ａとに設けられ、第３の側面１８ｃ，１９ｃと連続部２０ｃと補強部２５の他端面２５ｂとに設けられ、第４の側面１８ｄ，１９ｄと連続部２０ｄと補強部２５の一端面２５ａとに設けられ、第４の側面１８ｄ，１９ｄと連続部２０ｄと補強部２２の他端面２２ｂとに設けられている。
【００３７】
また、第２のメッシュ取付部２９は、第２のメッシュ７が例えば接着剤等で接着されて取り付けられる。本体部８は、空間部２８の開口部２７の周囲に設けられた第２のメッシュ取付部２９に第２のメッシュ７が取り付けられることで、外部から空間部２８を介して第１のメッシュ６に流れる外気の塵埃を捕集することができる。
【００３８】
なお、第１及び第２のフレーム部１０，１１が本体部８と同等な大きさの略矩形状に設けられている場合について説明したが、例えば第１及び第２のフレーム部１０，１１が本体部８よりやや大きい略矩形状に設けられ、第１及び第２のフレーム部１０，１１のそれぞれの側面１８，１９と本体部８の外側面１３ａとを連続させる連続部２０を設けない場合、空間部２８ｉ〜２８ｌ（以下、単に、空間部２８ともいう）は、図８及び図９に示すように、本体部８の外側面１３ａと第１及び第２のフレーム部１０，１１と第１及び第２のフレーム部１０，１１の両端近傍に設けられている補強部２６とで構成される。
【００３９】
具体的に、空間部２８ｉは、本体部８の外側面１３ａと第１及び第２のフレーム部１０，１１と補強部２２と補強部２３とで構成され、空間部２８ｊは、本体部８の外側面１３ａと第１及び第２のフレーム部１０，１１と補強部２３と補強部２４とで構成され、空間部２８ｋは、本体部８の外側面１３ａと第１及び第２のフレーム部１０，１１と補強部２４と補強部２５とで構成され、空間部２８ｌは、本体部８の外側面１３ａと第１及び第２のフレーム部１０，１１と補強部２５と補強部２２とで構成されている。
【００４０】
したがって、第２のメッシュ取付部２９は、空間部２８の開口部２７の周囲、すなわち、第１及び第２のフレーム部１０，１１の第１の側面１８ａ，１９ａと補強部２２の一端面２２ａと補強部２３の他端面２３ｂとに設け、第２の側面１８ｂ，１９ｂと補強部２３の一端面２３ａと補強部２４の他端面２４ｂとに設け、第３の側面１８ｃ，１９ｃと補強部２４の一端面２４ａと補強部２５の他端面２５ｂとに設け、第４の側面１８ｄ，１９ｄと補強部２５の一端面２５ａと補強部２２の他端面２２ｂとに設けられる。
【００４１】
このような第２のメッシュ取付部２９に第２のメッシュ７が取り付けられることで、本体部８は、貫通口４を覆うように取り付けられた第１のメッシュ６に流れる外気の塵埃を捕集することができる。
【００４２】
また、第１及び第２のフレーム部１０，１１は、機械的強度を確保することができれば、第１及び第２のフレーム部１０，１１を連続させる補強部２６を設けることに限定されるものではない。例えば補強部２６を設けない場合、空間部２８ｍ〜２８ｐ（以下、単に、空間部２８ともいう。）は、図１０及び図１１に示すように、本体部８の外側面１３ａと、第１及び第２のフレーム部１０，１１と、この第１及び第２のフレーム部１０，１１の連続部２０と、この第１及び第２のフレーム部１０，１１と隣接する他の第１及び第２のフレーム部１０，１１の連続部２０とで構成される。
【００４３】
具体的に、空間部２８ｍは、本体部８の外側面１３ａと第１及び第２のフレーム部１０，１１と連続部２０ａと連続部２０ｂとで構成され、空間部２８ｎは、本体部８の外側面１３ａと第１及び第２のフレーム部１０，１１と連続部２０ｂと連続部２０ｃとで構成され、空間部２８ｏは、本体部８の外側面１３ａと第１及び第２のフレーム部１０，１１と連続部２０ｃと連続部２０ｄとで構成され、空間部２８ｐは、本体部８の外側面１３ａと第１及び第２のフレーム部１０，１１と連続部２０ｄと連続部２０ａとで構成されている。
【００４４】
したがって、第２のメッシュ取付部２９は、空間部２８の開口部２７の周囲、すなわち、第１及び第２のフレーム部１０，１１の第１の側面１８ａ，１９ａと連続部２０ａと連続部２０ｂとに設けられ、第２の側面１８ｂ，１９ｂと連続部２０ｂと連続部２０ｃとに設けられ、第３の側面１８ｃ，１９ｃと連続部２０ｃと連続部２０ｄとに設けられ、第４の側面１８ｄ，１９ｄと連続部２０ｄと連続部２０ａとに設けられる。
【００４５】
このような第２のメッシュ取付部２９に第２のメッシュ７が取り付けられることで、本体部８は、貫通口４を覆うように取り付けられた第１のメッシュ６に流れる外気の塵埃を捕集することができる。
【００４６】
更に、第２のメッシュ取付部２９は、連続部２０及び補強部２６を設けない場合、空間部２８ｑは、図１２及び図１３に示すように、本体部８の外側面１３ａと第１及び第２のフレーム部１０，１１とで構成される。したがって、第２のメッシュ取付部２９は、空間部２８の開口部２７の周囲、すなわち、第１及び第２のフレーム部１０，１１の側面１８，１９全周に設けられる。
【００４７】
このような第２のメッシュ取付部２９に第２のメッシュ７が取り付けられることで、本体部８は、貫通口４を覆うように取り付けられた第１のメッシュ６に流れる外気の塵埃を捕集することができる。
【００４８】
なお、第２のメッシュ取付部２９は、図６及び図７に示すように、例えば通気口３側に凹設させてもよい。これにより、第２のメッシュ取付部２９は、第２のメッシュ７を、第１及び第２のフレーム部１０，１１の他の側面１８，１９と面一となるように取り付けることができる。
【００４９】
また、第２のメッシュ取付部２９は、例えば外部側に突設させてもよい。これにより、第２のメッシュ取付部２９は、第２のメッシュ７を接着剤等で接着するために、第２のメッシュ７を第２のメッシュ取付部２９に押圧するとき、突設された第２のメッシュ取付部２９により押圧力が第２のメッシュ７に集中され、第２のメッシュ７と第２のメッシュ取付部２９とをより密着して取り付けることができる。
【００５０】
ここで、第１及び第２のメッシュ取付部１４，２９に取り付けられる第１及び第２のメッシュ６，７は、合成樹脂で形成されている。具体的に、第１のメッシュ６は、ケーシング５と異なる帯電性を有する合成樹脂からなり、例えば網目が２ｍｍ平方以下の開口で、厚さ１ｍｍ程度の厚さに形成され、第１のメッシュ取付部１４と略同等の大きさの略矩形状に形成されている。また、第２のメッシュ７は、ケーシング５と異なる帯電性を有する合成樹脂からなり、例えば網目が２ｍｍ平方以下の開口で、厚さ１ｍｍ程度の厚さに形成され、第２のメッシュ取付部２９と略同等の大きさの略矩形状に形成されている。また、第１のメッシュ６は、第２のメッシュ７より網目が細かい小さな開口を有するように形成されている。更に、第１及び第２のメッシュ６，７は、第１及び第２のメッシュ取付部１４，２９にそれぞれ接着剤等で接着されている。これにより、第１及び第２のメッシュ６，７は、通気口３の他方から流出する外気の風量を従来より増加させることができると共に、外部より貫通口４から通気口３の内部に流入される外気の塵埃を捕集することができ、捕集した塵埃を帯電させることで逃がしにくくすることが
できる。
【００５１】
なお、第１のメッシュ６は、開口が異なる網目を有するように形成されてもよい。具体的に、第１のメッシュ６は、外縁部近傍が、その他の部分より網目が細かく小さな開口を有するように形成されてもよい。これにより、第１のメッシュ６は、通気口３の他方から流出する外気の風量を従来より増加させることができると共に、外部より貫通口４から通気口３の内部に流入される外気の塵埃を捕集することができる。また、第２のメッシュ７は、第１のメッシュ６と同様に、開口が異なる網目を有するように形成されてもよい。
【００５２】
更に、第１及び第２のメッシュ６，７は、合成樹脂で形成されることに限定されるものではなく、貫通口４から通気口３の内部に塵埃が侵入することを防止することができれば、金属材、カーボン材、セラミック材、繊維材等で形成されるようにしてもよい。また、第１及び第２のメッシュ６，７は、同程度の開口を有するように形成されるようにしてもよい。更に、第１及び第２のメッシュ６，７は、第１及び第２のメッシュ取付部１４，２９にそれぞれ接着剤等で接着されることに限定されるものではなく、例えば、溶着、ネジ止め、フック固定等で第１及び第２の取付部に取り付けるようにしてもよい。また、第１及び第２のメッシュ６，７は、ケーシング５と別部材に限定されるものではなく、ケーシング５と一体成形で設けるようにしてもよい。
【００５３】
以下、ファン装置１が通気口３の一方及び貫通口４から外気を流入して通気口３の他方から外気を流出するときの一例を説明する。
【００５４】
ファン装置１は、図１４及び図１５に示すように、プロジェクタ等の電子機器３０の内部に設けられている。このような電子機器３０は、電子機器３０の外部より内部に空気を流入する吸気口３１とこの吸気口３１から流入した空気を電子機器３０の外部に流出する排気口３２とを有する筐体３３と、この筐体３３の内部にランプや画像プロセッサやビデオメモリ等の発熱部品３４と、通気口３の一方及び貫通口４から外気を流入して通気口３の他方から外気を流出するファン装置１と、このファン装置１を駆動させる図示しないモータ等の駆動装置とを備えている。
【００５５】
具体的に、ファン装置１は、吸気口３１が形成された筐体３３の面に、通気口３の一方から内部に流入された空気を流出させる通気口３の他方側を電子機器２０の内部側に向けて吸気口３１と通気口３とを一致させて設けられている。先ず、これらのファン装置１の羽根部材２は、駆動装置により所定回転方向に回転される。そして、これら駆動装置により所定回転方向に回転された羽根部材２は、図３に示すように、通気口３の一方から外気を通気口３の内部に流入させると共に、貫通口４から外気を通気口３の内部に流入させる。
【００５６】
このとき、第２のメッシュ７は、空間部２８の開口部２７を覆うように取り付けられているので、第１のメッシュ６に流れる外気の塵埃を捕集する。また、第１のメッシュ６は、貫通口４を覆うように設けられ、第２のメッシュ７より網目が細かい小さな開口で形成されているので、第２のメッシュ７を介して貫通口４に流れる外気の第２のメッシュ７で捕集しきれなかった塵埃を捕集する。
【００５７】
また、第１及び第２のメッシュ６，７は、第２のメッシュ７が空間部２８の開口部２７を覆うように取り付けられ、第１のメッシュ６が貫通口４を覆うように設けられているので、第１のメッシュ６で捕集した塵埃を、開口部２７と貫通口４とを連続させる空間部２８の内部に閉じこめ、放出しにくくしている。
【００５８】
更に、第１及び第２のメッシュ６，７は、帯電性の材料で形成されているので、第１及び第２のメッシュ６，７に捕集された塵埃を帯電させ、逃がしにくくしている。
【００５９】
以上のような構成を有するファン装置１は、通気口３の一方及び貫通口４から外気を流入することができるので、他方から流出する外気の流量を増加させることができる。
【００６０】
また、ファン装置１は、空間部２８の開口部２７を覆うように第２のメッシュ７が設けられ、第１のメッシュ６が貫通口４を覆うように設けられているので、第１のメッシュ６で捕集した塵埃を、開口部２７と貫通口４とを連続させる空間部２８の内部に閉じこめ、放出しにくくすることができるので、電子機器の内部の塵埃を低減させることができる。
【００６１】
更に、ファン装置１は、第１及び第２のメッシュ６，７が帯電性の材料で形成されているので、第１及び第２のメッシュ６，７に捕集された塵埃が第１及び第２のメッシュ６，７により帯電され、第１及び第２のメッシュ６，７から逃げにくくすることができるので、電子機器の内部の塵埃を低減させることができる。
【００６２】
なお、ファン装置１は、図１６に示すように、第１のメッシュ６を取り付けずに、例えば第１のメッシュ６に用いた網目が細かい小さな開口を有する第２のメッシュ７だけを第２のメッシュ取付部２９に取り付けるようにしてもよい。
【００６３】
以上のような構成を有するファン装置１は、通気口３の一方及び貫通口４から外気を流入することができ、他方から流出する外気の流量を増加させることができるので、従来より通気口３の他方から流出する外気の風量を増加させることができると共に、貫通口４から通気口３の内部に流入する外気の塵埃を第２のメッシュ７で捕集することができるので、電子機器の内部の塵埃を低減させることができる。
【００６４】
また、ファン装置１は、図１７に示すように、第２のメッシュ７を取り付けずに、第１のメッシュ６だけを第１のメッシュ取付部１４に取り付けるようにしてもよい。
【００６５】
以上のような構成を有するファン装置１は、通気口３の一方及び貫通口４から外気を流入することができ、他方から流出する外気の流量を増加させることができるので、従来より通気口３の他方から流出する外気の風量を増加させることができると共に、貫通口４から通気口３の内部に流入する外気の塵埃を第１のメッシュ６で捕集することができるので、電子機器の内部の塵埃を低減させることができる。
【００６６】
更に、ファン装置１は、ケーシング５に第１及び第２のフレーム部１０，１１を設けることに限定されるものではなく、第１及び第２のフレーム部１０，１１を設けずに、本体部８だけで構成されるようにしてもよい。
【００６７】
この場合、ファン装置１は、羽根部材２と、図示しない駆動装置と、通気口３及び貫通口４とを有するケーシング５と、第１のメッシュ６とを備え、ケーシング５は、本体部８と、支持部９とを有する。
【００６８】
以上のような構成を有するファン装置１は、通気口３の一方及び貫通口４から外気を流入することができ、他方から流出する外気の流量を増加させることができるので、通気口３の他方から流出する外気の風量を従来より増加させることができると共に、貫通口４から通気口３の内部に流入する外気の塵埃を第１のメッシュ６で捕集することができるので、電子機器の内部の塵埃を低減させることができる。
【００６９】
以下、上述したような電子機器３０に設けられたファン装置１が気体を流入流出することで電子機器３０の内部で発生した熱を放熱して冷却するときの一例を説明する。なお、電子機器３０については、上述した電子機器３０と同様の構成を有するため、説明を省略する。
【００７０】
先ず、電子機器３０に設けられたファン装置１の羽根部材２は、駆動装置により所定回転方向に回転される。そして、駆動装置により所定回転方向に回転された羽根部材２は、図３に示すように、通気口３の一方から外気を通気口３の内部に流入させると共に、貫通口４から外気を通気口３の内部に流入させることで、図１５中の矢印Ｃに示すように、電子機器３０の外部の空気を吸気口３１から内部に流入させると共に、電気機器３０の内部の空気を排気口３２から外部に流出させることができる。このように、電子機器３０は、ファン装置１によって、一方向に向けて空気を送風することにより、吸気口３１から排気口３２への空気流と発生させることで、発熱部品３４から発生した熱を電子機器３０の外部に放熱させて電子機器３０の内部を冷却することができると共に、第１のメッシュ６及び／又は第２のメッシュ７によって電子機器３０の内部の塵埃を低減させることができる。
【００７１】
なお、電子機器３０は、ファン装置１を吸気口３１に設けることに限定されるものではなく、排気口３２に設けて、電気機器３０の内部の空気を排気口３２から外部に流出させると共に、電子機器３０の外部の空気を吸気口３１から内部に流入させることで、発熱部品３４から発生した熱を電子機器３０の外部に放熱させて電子機器３０の内部を冷却すると共に、第１のメッシュ６及び／又は第２のメッシュ７によって電子機器３０の内部の塵埃を低減させるようにしてもよい。
【００７２】
また、電子機器３０は、ファン装置１を吸気口３１及び／又は排気口３２に設けることに限定されるものではなく、発熱部品３４の近傍に設けて、通気口３の一方及び貫通口４から外気を流入して通気口３の他方から外気を発熱部品３４に対して流出させて発熱部品３４を冷却して電子機器３０の内部を冷却すると共に、第１のメッシュ６及び／又は第２のメッシュ７によって電子機器３０の内部の塵埃を低減させるようにしてもよい。
【図面の簡単な説明】
【００７３】
【図１】本発明を適用したファン装置の斜視図である。
【図２】本発明を適用したファン装置に用いられるケーシングの斜視図である。
【図３】本発明を適用したファン装置に用いられるケーシングの縦断面図である。
【図４】本発明を適用したファン装置に用いられるケーシングの平面図である。
【図５】本発明を適用したファン装置に用いられるケーシングの横断面図である。
【図６】第１のメッシュ取付部及び第２のメッシュ取付部を凹設して設けたファン装置に用いられるケーシングの斜視図である。
【図７】第１のメッシュ取付部及び第２のメッシュ取付部を凹設して設けたファン装置に用いられるケーシングの横断面図である。
【図８】連続部を設けないファン装置に用いられるケーシングの斜視図である。
【図９】連続部を設けないファン装置に用いられるケーシングの横断面図である。
【図１０】補強部を設けないファン装置に用いられるケーシングの斜視図である。
【図１１】補強部を設けないファン装置に用いられるケーシングの横断面図である。
【図１２】連続部及び補強部を設けないファン装置に用いられるケーシングの斜視図である。
【図１３】連続部及び補強部を設けないファン装置に用いられるケーシングの横断面図である。
【図１４】本発明を適用したファン装置が電子機器に設けられた状態を示した斜視図である。
【図１５】本発明を適用したファン装置が電子機器に設けられた状態を示した横断面図である。
【図１６】第２のメッシュだけを取り付けたファン装置の斜視図である。
【図１７】第１のメッシュだけを取り付けたファン装置の斜視図である。
【符号の説明】
【００７４】
１  ファン装置、２  羽根部材、３  通気口、４  貫通口、５  ケーシング、６  第１のメッシュ、７  第２のメッシュ、８  本体部、９  支持部、１０  第１のフレーム部、１１  第２のフレーム部、１２  傾斜面、１３  側面、１３ａ  外側面、１４  第１のメッシュ取付部、１５  補強リブ、１６  駆動支持部、１６ａ  ボス部、１７  連結部、１８  側面、１９  側面、２０  連続部、２１  取付孔、２６  補強部、２７  開口部、２８  空間部、２９  第２のメッシュ取付部、３０  電子機器、３１  吸気口、３２  排気口、３３  筐体、３４  発熱部品
【図１】
2009057943.tif 000003
【図２】
2009057943.tif 000004
【図３】
2009057943.tif 000005
【図４】
2009057943.tif 000006
【図５】
2009057943.tif 000007
【図６】
2009057943.tif 000008
【図７】
2009057943.tif 000009
【図８】
2009057943.tif 000010
【図９】
2009057943.tif 000011
【図１０】
2009057943.tif 000012
【図１１】
2009057943.tif 000013
【図１２】
2009057943.tif 000014
【図１３】
2009057943.tif 000015
【図１４】
2009057943.tif 000016
【図１５】
2009057943.tif 000017
【図１６】
2009057943.tif 000018
【図１７】
2009057943.tif 000019